(57)【要約】【課題】  センサからの検知信号の出力状況に基づいて悪意を持った不法侵入者と判断できた時点でタイムリーに発光手段を威嚇用のモードに切り換えて点灯制御することにより、高い威嚇効果を発揮することのできる防犯用照明装置を提供する。【解決手段】  所定の検知エリアＡ0 〜ＡN 内の人体Ｈを検知して検知信号ＰＤを出力するセンサ７と、発光手段１２１と、検知信号ＰＤを受けて発光手段１２の点灯を制御する点灯制御手段１３Ａ，１３Ｂとを備える。点灯制御手段１３Ａ，１３Ｂは、検知信号ＰＤを受けて発光手段１２を照明用の第１モードで点灯させる第１モード設定部１４と、第１モードでの点灯中の所定時間ＴS 内に設定回数の検知信号ＰＤを受けたとき、発光手段１２を威嚇用の第２モードで点灯させる第２モード設定部１７とを有する。【選択図】  図３
2006243824.tif 000002
【特許請求の範囲】
【請求項１】
所定の検知エリア内の人体を検知して検知信号を出力するセンサと、発光手段と、前記検知信号を受けて前記発光手段の点灯を制御する点灯制御手段とを備え、
前記点灯制御手段は、
前記検知信号を受けて前記発光手段を照明用の第１モードで点灯させる第１モード設定部と、
前記第１モードでの点灯中の所定時間内に設定回数の前記検知信号を受けたとき、前記発光手段を威嚇用の第２モードで点灯させる第２モード設定部とを有する、
防犯用照明装置。
【請求項２】
請求項１において、前記第２モード設定部は、前記設定回数の検知信号を受けたのち第１の時間経過した第１の時点で前記発光手段を前記第２モードで点灯させる防犯用照明装置。
【請求項３】
請求項２において、前記第１の時点よりも前の第２の時点から前記第１の時点までの間にさらに前記検知信号を受けたことを条件として前記発光手段を前記第２モードで点灯させる防犯用照明装置。
【請求項４】
請求項２において、前記第１の時点経過後、第３の時点までの間にさらに前記検知信号を受けたことを条件として前記発光手段を前記第２モードで点灯させる防犯用照明装置。
【発明の詳細な説明】
【技術分野】
【０００１】
本発明は、一般住宅の家人や善意の来訪者が通過する際に足元を照らす照明機能と、不法侵入者や泥棒などの悪意を持った人物が検知エリア内で移動を繰り返した際にその人物を照明の変化で威嚇する防犯機能とを兼ね備えた防犯用照明装置に関するものである。
【背景技術】
【０００２】
従来、例えば一般住宅の玄関先に設置されるポーチライトのような照明器具には、照明すべき検知エリア内に進入した人体を検知するセンサを具備して、そのセンサによる人体の検知の有無に基づき自動点灯および自動消灯させることにより、節電や利便性の向上を図ったものが存在する。一方、一般的な照明用としての機能に防犯機能を付加した照明装置が提案されている（例えば、特許文献１参照）。
【０００３】
前記防犯機能を付加した照明装置は、センサから人体の検知信号が出力されたときに照明用モードを設定して、予め設定された所定時間が経過するまで照明器（照明負荷）を連続点灯させるとともに、その所定時間内にセンサから検知信号が連続的または断続的に出力され続けた場合に限り、照明負荷の連続点灯を所定時間の間継続し、所定時間が経過した時点で照明器を連続点灯から点滅点灯に自動的に切り換える。この点滅点灯により、悪意を持った不法侵入者に対して、不安感を与える威嚇を行い、速やかに退去を促すように図っている。
【０００４】
【特許文献１】特開平２００３−２０８９９０号公報
【発明の開示】
【発明が解決しようとする課題】
【０００５】
しかしながら、前記照明装置では、点滅動作に切り換えるタイミングが適切とは言い難いものであるために、十分な威嚇効果を得られないことがある。すなわち、前記照明装置では、センサから検知信号が入力したときに、一定時間（例えば３０秒）以上にわたった照明器が連続点灯されたのち、威嚇用の点滅動作に入るので、点滅動作への移行が遅くなり過ぎて威嚇効果を十分に発揮できないことがある。例えば、ピッキングと呼称される特殊な工具を使ってドアなどの鍵を解錠する常習のピッキング泥棒などは僅か３０秒程度で解錠すると言われているので、前もって留守であることを確認した泥棒などが、検知エリア内に侵入したのち、そのまま玄関のドアに接近して解錠作業を始めた場合には、泥棒が解錠を終える直前または解錠して住宅内に侵入した後のタイミングで点滅動作に移行することになってしまい、泥棒などに対し効果的に威嚇することができない。
【０００６】
本発明は、前記従来の問題に鑑みてなされたもので、センサからの検知信号の出力状況に基づいて悪意を持った不法侵入者と判断できた時点でタイムリーに発光手段を威嚇用のモードに切り換えて点灯制御することにより、高い威嚇効果を発揮することのできる防犯用照明装置を提供することを目的としている。
【課題を解決するための手段】
【０００７】
前記目的を達成するために、本発明に係る防犯用照明装置は、所定の検知エリア内の人体を検知して検知信号を出力するセンサと、発光手段と、前記検知信号を受けて前記発光手段の点灯を制御する点灯制御手段とを備え、前記点灯制御手段は、前記検知信号を受けて前記発光手段を照明用の第１モードで点灯させる第１モード設定部と、前記第１モードでの点灯中の所定時間内に設定回数の前記検知信号を受けたとき、前記発光手段を威嚇用の第２モードで点灯させる第２モード設定部とを有している。
【０００８】
この構成によれば、住宅の家人や近隣の来訪者あるいは郵便配達人などが検知エリア内を単に通過するような場合には、それらの人が検知エリア内に進入してセンサから検知信号が出力された時点で、発光手段が照明用の第１モードで点灯されて検知エリア内を通行中の人物の足元を照らす。所定時間として、家人などが検知エリア内を通過し終える平均的な時間を設定しておけば、所定時間が経過するまでの間にセンサから出力される検知信号が設定回数に達することがないので、威嚇用の第２モードに入ることはない。
【０００９】
一方、センサからの検知信号の出力により発光手段が照明用の第１モードで点灯された時点から所定時間が経過するまでの間、センサからの検知信号の出力回数が設定回数に達したか否かが監視されて、設定回数に達した時点で、発光手段が威嚇用の第２モードで点灯される。泥棒のような悪意を持った不法侵入者は、通常、家屋内に侵入する前に周囲の様子を伺うためにセンサの検知エリア内を頻繁に移動するから、所定時間が経過する前に、センサから出力される検知信号が設定回数に達する。
【００１０】
そのため、この防犯用照明装置では、不法侵入者が検知エリア内に侵入したのちにどのような挙動をとった場合であっても、この検知エリア内における不法侵入者の存在を確実に判別でき、その不法侵入者が存在すると判別した時点で、所定時間の経過を待つことなく即座に発光手段を威嚇用の第２モードの点灯に切り換える。したがって、威嚇動作へ移行するタイミングは、不法侵入者に対し大きな不安感を与えることのできるタイムリーなものとなり、効果的な威嚇を行うことができる。
【００１１】
本発明において、前記第２モード設定部は、前記設定回数の検知信号を受けたのち第１の時間経過した第１の時点で前記発光手段を前記第２モードで点灯させるようにするのが好ましい。この構成によれば、住宅の家人や善意の来訪者が検知エリア内を通過する過程において、何らかの事情で一旦立ち止まって通過し終えるのが遅れたような場合でも、発光手段を威嚇用の第２モードによる点灯に切り換えるタイミングを、住人または来訪者が検知エリアを通過し終える時点まで遅延させることができ、これにより、家人や善意の来訪者に不快感を与えるのが防止される。
【００１２】
本発明において、前記第１の時点よりも前の第２の時点から前記第１の時点までの間にさらに前記検知信号を受けたことを条件として前記発光手段を前記第２モードで点灯させることが好ましい。この構成によれば、発光手段を威嚇用の第２モードによる点灯に切り換えるタイミングを少なくとも第２の時点まで遅延させるので、住宅の家人や善意の来訪者が検知エリア内を通過する過程において一旦立ち止まったような場合に発光手段が点滅されることによって不快感を与えるのが防止されるとともに、第２の時点と第１の時点の間の時間帯において不法侵入者が依然として存在すると判断できれば、その時点で即座に威嚇用の第２モードによる点灯に移行するので、誤動作がなく、かつ、タイムリーな威嚇動作となり、さらに高い防犯効果を得ることができる。
【００１３】
本発明において、前記第１の時点経過後、第３の時点までの間にさらに前記検知信号を受けたことを条件として前記発光手段を前記第２モードで点灯させてもよい。この構成によれば、第１の時点から第３の時点までの時間帯において不法侵入者が依然として存在すると判断した場合に初めて威嚇用の第２モードによる点灯に移行するので、誤って第２モードに移行するのが抑制される。
【発明の効果】
【００１４】
本発明の防犯用照明装置によれば、住宅の家人や善意の来訪者などが検知エリア内を単に通過する通常時には通常の照明用として機能する一方、泥棒などの悪意を持った不法侵入者が検知エリア内に侵入した場合には、所定時間が経過するまでの間にセンサからの検知信号の出力回数が設定回数に達したことに基づき不法侵入者が存在すると判断して、その時点で即座に発光手段を威嚇用の第２モードで点灯することにより、発光手段の点滅動作への切り換えが不法侵入者の挙動に対応したタイムリーなものとなり、不法侵入者に対し大きな不安感を与えることのできる効果的な威嚇を行うことができる。
【発明を実施するための最良の形態】
【００１５】
以下、本発明の好ましい実施形態について図面を参照しながら詳細に説明する。
図１は本発明の第１実施形態に係る防犯用照明装置の設置状態の光学的構成を模式的に示す斜視図である。この防犯用照明装置は、一般住宅の門柱、門柱から玄関までのアプローチエリア、カーポート、住宅の裏口または勝手口に面した外壁面などにおける所定高さ位置に取り付けられて、通常時に、家人や善意の来訪者の足元を照らすポーチライトのような照明器具として機能し、一方、泥棒などの悪意を持った不法侵入者が侵入したときには、不法侵入者が存在すると判断した時点で点滅動作に移行して、不法侵入者に不安感を与える威嚇を行う。
【００１６】
図２は前記防犯用照明装置を示す斜視図であり、樹脂製のユニットケース１の前面には、その中央部に検知窓２が設けられ、その検知窓２の上方および下方位置に照明窓３および表示窓４がそれぞれ配設されている。検知窓２、照明窓３および表示窓４はユニットケース１と別体の樹脂で形成され、ユニットケース１に嵌め込まれている。ユニットケース１の内部には、人体を検知して検知信号を出力するセンサ７が検知窓２に対向する配置で設けられており、このセンサ７として、この実施形態では受動型赤外線方式（ＰＩＲ）のものが用いられている。この受動型赤外線方式のセンサ７は、図１に示す人体Ｈの監視エリアＶ内に複数の検知エリアＡ0 〜Ａn を設定するフレネルレンズのような集光光学系およびこの光学系の焦点の近傍に配置された焦電素子を有し、検知エリアＡ0 〜Ａn 内の人体Ｈが発する遠赤外線を検知する受動型赤外線検知器と、この赤外線検知器からの受光量を示す電気信号が所定回数以上にわたって所定レベル以上変化したときに人体Ｈの検知信号を出力する検知回路とを備えた、周知の構成を有している。検知信号はパルスで出力される。
【００１７】
さらに、ユニットケース１の内部には、白色発光ダイオードが照明窓３から出射する配置で配列されてなる照明器８と、赤色発光ダイオードが表示窓４から出射する配置で配列されてなる動作表示灯９とが設けられている。また、ユニットケース１の右側面には音声透過部１０が設けられているとともに、この音声透過部１０に対向配置したスピーカのような威嚇音発生手段１１がユニットケース１に内蔵されている。この威嚇音発生手段１１は、騒音または退去を促すような音声を発生する。
【００１８】
ところで、従来においても、センサ、照明器およびパイロットランプを有するユニットケースを用いた照明装置が存在しており、センサが人体を検知したときにパイロットランプが例えば２秒程度の間点灯して人体の検知を表示するとともに、照明器が例えば１分程度点灯して検知エリアを通行する人体の足元を照らすようになっている。この実施形態の防犯用照明装置は、前記既存の照明装置に防犯機能を付加するように改造したものであって、ユニットケース１の表示窓４を既存のものよりも大きくし、かつ、パイロットランプに代えて、発光量の大きい前記動作動作表示灯９を設け、さらに、後述する点灯制御手段をユニットケース１に内蔵したものである。したがって、この防犯用照明装置は、既存の照明装置の基本構成を活用することにより、安価に製作できるものである。
【００１９】
図３は前記防犯用照明装置の電気回路を示すブロック図である。発光手段１２は、センサ７からの検知信号を受けてそれぞれ異なる光を発光する複数の発光器を有したものであり、これら発光器として、前記照明器８および動作表示灯９が用いられている。
【００２０】
点灯制御手段１３Ａは、センサ７からの検知信号ＰＤを受けて発光手段１２の点灯を制御するものであって、検知信号ＰＤを受けて発光手段１２を照明用の第１モードで点灯させる第１モード設定部１４と、第１モードでの点灯中の所定時間内に設定回数の検知信号ＰＤを受けたときに発光手段１２を威嚇用の第２モードで点灯させる第２モード設定部１７とを有している。第１モード設定部１４は、照明器８および動作表示灯９を、内蔵する点灯時間設定タイマ１４ａに予め設定された点灯時間の間それぞれ点灯制御する。第２モード設定部１７は、照明器８および動作表示灯９を、内蔵する点滅時間設定タイマ１７ａに予め設定された点滅時間の間交互に点滅させるように制御する。第１モード設定部１４および第２モード設定部１７からそれぞれ出力される第１モードおよび第２モードの点灯制御信号は、切換手段２３の切り換え動作により択一的に発光手段１２に供給される。切換手段２３は、通常時に図示の接続状態、つまり第１モード設定部１４を発光手段１２に接続する状態に保持されている。
【００２１】
検知ディレータイマ１８は、第１モード設定部１４が第１モードの点灯制御信号と同時に出力する起動信号を受けて所定時間の計時を開始するとともに、計時中であることを示すローレベル信号を出力し、タイムアップした時点でハイレベルのタイムアップ信号を出力する。パルスカウンタ１９は、センサ７から入力される検知信号をカウントして、そのカウント数が予め設定された回数に達した時点でハイレベルのカウントアップ信号を出力する。第１アンド回路２１は、一方の入力端子に反転器２２を介して検知ディレータイマ１８の出力が入力され、他方の入力端子にパルスカウンタ１９の出力が入力される。第１アンド回路２１の前記一方の入力端子に、検知ディレータイマ１８がタイムアップするまでの間出力されるローレベル信号が反転器２２で反転されてなるハイレベル信号が入力している状態において、パルスカウンタ１９からハイレベルのカウントアップ信号が他方の入力端子に入力したとき、つまり検知ディレータイマ１８が所定時間を計時中においてセンサ７から検知信号ＰＤが設定回数だけ出力される条件が成立したときに、ハイレベル信号を出力する。威嚇ディレータイマ２０は、第１アンド回路２１からハイレベル信号が入力したときに起動して、予め設定された威嚇遅延時間の計時動作を開始するとともに、計時中であることを示すローレベル信号を出力し、タイムアップしたときにハイレベルのタイムアップ信号を出力する。
【００２２】
前記威嚇ディレータイマ２０から出力されるハイレベルのタイムアップ信号は切換手段２３に対し切換信号として入力される。これにより、切換手段２３は、発光手段１２を第１モード設定部１４から第２モード設定部１７に接続するように切り換えられて、第２モード設定部１７の点灯制御信号を発光手段１２に供給する。また、前記威嚇ディレータイマ２０から出力されるハイレベルのタイムアップ信号は、第２モード設定部１７および威嚇音発生手段１１に対しそれぞれ起動信号として供給される。前記パルスカウンタ１９は、検知ディレータイマ１８からのハイレベルのタイムアップ信号または第１アンド回路２１からのハイレベル信号のいずれかが、オア回路２５を介してリセット端子Ｒに入力されたときにリセットされる。また、第２アンド回路２４は、第２モード設定部１７からハイレベルの第２モード設定信号が一方の入力端子に入力している状態においてセンサ７から検知信号ＰＤが他方の入力端子に入力したときにハイレベル信号を出力する。第２モード設定部１７は、前記第２アンド回路２４からハイレベル信号が入力されたときに、点滅時間設定タイマ１７ａをこれがタイムアップしたのち再起動させる。
【００２３】
つぎに、図３の電気回路の動作について、そのタイミングチャートである図４を参照しながら説明する。住宅の家人または善意の来訪者が検知エリアＡ0 〜Ａn 内に進入して、この人体Ｈを検知したセンサ７からｔ１時に出力されたハイレベルの検知信号ＰＤ（図４（ａ））が第１モード設定部１４に起動信号として入力されると、第１モード設定部１４は発光手段１２に対し照明用の第１モードで点灯させる点灯制御信号を出力する。
【００２４】
すなわち、第１モード設定部１４は、ｔ１時に起動させた内蔵の点灯時間設定タイマ１４ａの計時時間に基づいて、赤色の動作表示灯９を予め設定された短い表示時間（例えば２秒）Ｔd の間点灯させて（図４（ｄ））人体を検知したことを表示し、かつ、白色の照明器８を予め設定された照明時間（例えば１分）ＴL の間連続点灯させて（図４（ｅ））、家人の足元を照らすよう制御する。また、第１モード設定部１４は、ｔ１時に前記点灯制御信号を出力すると同時に、検知ディレータイマ１８に対し起動信号を供給する。これにより、検知ディレータイマ１８は、予め設定された所定時間である検知判定時間ＴS の計時動作を開始する（図４（ｂ））とともに、計時動作中であることを示すローレベル信号を出力する。なお、第１モードにおいては、動作表示灯９を点灯しないように設定してもよい。
【００２５】
前記検知ディレータイマ１８に設定されている検知判定時間ＴS は、検知エリアＡ0 〜Ａn 内に存在する人体Ｈが家人または善意の来訪者であるか悪意を持った不法侵入者であるかの判定を行うための時間であり、この検知判定時間ＴS 内において、人体の動きを検知した検知信号ＰＤの出力回数をパルスカウンタ１９がカウントする。この防犯用照明装置では、パルスカウンタ１９に検知判定のための設定回数として例えば「１０」が設定されており、前記検知判定時間ＴS が経過する前にパルスカウンタ１９のカウント数が「１０」に達した時点で不法侵入者であると判定する。
【００２６】
家人または善意の来訪者の場合には、通常、検知エリアＡ0 〜Ａn 内を迅速に通過したのちドアを解錠して検知判定時間ＴS が経過する前に住宅内に入るので、検知判定時間ＴS 内にパルスカウンタ１９のカウント数が「１０」に達することがない。そのため、検知判定時間ＴS を計時する検知ディレータイマ１８がタイムアップするまでは、この検知ディレータイマ１８が出力するローレベル信号が反転器２２で反転されたハイレベル信号が第１アンド回路２１の一方の入力端子に入力されているが、パルスカウント１９から第１アンド回路２１の他方の入力端子に対しハイレベルのカウントアップ信号が入力されないので、第１アンド回路２１から威嚇ディレータイマ２０にハイレベルの起動信号が入力することがない。そして、ｔ２時に、検知ディレータイマ１８がタイムアップする（図４（ｂ））と、検知ディレータイマ１８から出力されるハイレベルのタイムアップ信号によりパルスカウンタ１９がリセットされる。第１モード設定部１４は、点灯時間設定タイマ１４ａが照明時間ＴL を計時し終えた時点で点灯制御信号の出力を停止するので、照明器８が消灯する。
【００２７】
つぎに、泥棒のような悪意を持った不法侵入者が検知エリアＡ0 〜Ａn 内に侵入して、この人体Ｈを検知したセンサ７からｔ３時に出力された検知信号ＰＤ（図４（ａ））が第１モード設定部１４に起動信号として入力されると、第１モード設定部１４は発光手段１２に対し照明用の第１モードで点灯させる点灯制御信号を出力するので、上述と同様に、動作表示灯９が表示時間Ｔd の間点灯され（図４（ｄ））、かつ、照明器８が照明時間ＴL の間連続点灯するよう設定される（図４（ｅ））。また、検知ディレータイマ１８は、第１モード設定部１４から起動信号を受けて検知判定時間ＴS の計時動作を開始する（図４（ｂ））。
【００２８】
不法侵入者は、通常、家屋に侵入する前に、周囲の様子を伺うために検知エリアＡ0 〜Ａn 内を頻繁に移動するから、所定の検知判定時間ＴS が経過する前にパルスカウンタ１９のカウント数が設定回数に達する。
【００２９】
そして、検知判定時間ＴS が経過する前のｔ４時にセンサ７から設定回数である１０個目の検知信号ＰＤが出力されると、検知ディレータイマ１８が検知判定時間ＴS をタイムアップする前であることから、この検知ディレータイマ１８から出力されているローレベル信号が反転器２２で反転されたハイレベル信号が第１アンド回路２１の一方の入力端子に入力されている状態において、パルスカウンタ１９からハイレベルのカウントアップ信号が第１アンド回路２１の他方の入力端子に入力されるので、威嚇ディレータイマ２０は、第１アンド回路２１からハイレベルの起動信号を受けて威嚇遅延時間（第１の時間）ＴD1の計時動作を開始する（図４（ｃ））とともに、パルスカウンタ１９が第１アンド回路２１からのハイレベル信号をリセット端子Ｒに受けてリセットされる。
【００３０】
威嚇ディレータイマ２０がｔ７時（第１の時点）に威嚇遅延時間ＴD1をタイムアップする（図４（ｃ））と、この威嚇ディレータイマ２０から出力されるハイレベルのタイムアップ信号は、第２モード設定部１７および威嚇音発生手段１１に対しそれぞれ起動信号として供給されるとともに、切換手段２３に対し切換信号として供給される。それにより、切換手段２３は、発光手段１２を図示の第１モード設定部１４への接続状態から第２モード設定部１７への接続状態に切り換える。また、第２モード設定部１７は、威嚇用の第２モードで点灯させる点灯制御信号を切り換え後の切換手段２３を介して発光手段１２に供給する。これにより、照明器８および動作表示灯９は、第２モード設定部１７から供給される点灯制御により、交互に点滅される（図４（ｅ），（ｄ））。この点滅動作は、第２モード設定部１７においてｔ７時に起動された内蔵の点滅時間設定タイマ１７ａが予め設定された点滅時間ＴF をタイムアップするまで継続される。また、威嚇音発生手段１１は、予め設定された所定時間ＴR の間、大きな騒音または音声を発生する。
【００３１】
上述のように、この防犯用照明装置では、検知判定時間Ｔ3 内にセンサ７から検知信号ＰＤが設定回数出力されることにより不法侵入者が存在すると検知判定するので、不法侵入者がどのような挙動で検知エリアＡ0 〜Ａn 内に侵入した場合であっても、この検知エリアＡ0 〜Ａn 内における不法侵入者の存在を確実に判別できるとともに、その不法侵入者の存在を判別したとき（ｔ４時）から威嚇遅延時間ＴD1が経過した時点（ｔ７時）で、検知判定時間ＴS が経過するのを待つことなしに、即座に発光手段１２を威嚇用の第２モードの点灯に切り換えるので、この威嚇用の第２モードへの切り換えを不法侵入者の挙動に対しタイムリーに行うことができる。これに対し、既存の照明装置では、センサからの検知信号の出力回数とは無関係に予め設定した所定時間が経過した時点（図４（ｂ）のｔ８時に相当）まで常に待って点滅による威嚇動作に移行するので、威嚇動作の遅れによって効果的な威嚇を行えないことがある。
【００３２】
さらに、発光手段１２は、白色と赤色との異なる光をそれぞれ発光する照明器８と動作表示灯９との２つの発光器を有しており、これら発光器８，９からそれぞれ発光される２種の発光色が交互に点滅されるので、不法侵入者に対し、大きな不安感を抱かせて強い心理的圧迫を与えるに十分な威嚇を行って、犯行を断念してその場から退去するよう促すことができる。また、照明器８および表示灯９の発光源として用いている発光ダイオードは、極めて短い周期でオン・オフさせて激しいフラッシュ動作を行わせるように容易に制御可能であるから、そのように点灯制御することによって一層効果的な威嚇を行うことができる。しかも、発光ダイオード８ａ，９ａは、激しいフラッシュ動作を行わせた場合であっても、長期にわたり品質劣化が少ない利点がある。
【００３３】
また、この防犯装置では、上述の照明器８および表示灯９を交互に点滅させるのと同時に、威嚇音発生手段１１も作動させる（図４（ｆ））ので、光と音との相乗効果によって不法侵入者を一層効果的に威嚇することができるから、防犯効果がさらに高められる。
【００３４】
また、第２モード設定部１７が第２モードで照明器８および動作表示灯９を交互に点滅させる制御を行っているとき、つまり第２モード設定部１７の点滅時間設定タイマ１７ａがタイムアップするまでの間に、センサ７から検知信号ＰＤが出力された場合には、第２アンド回路２４の一方の入力端子に第２モード設定部１７からハイレベルの第２モード設定信号が入力している状態において他方の入力端子に検知信号ＰＤが入力するので、第２アンド回路２４が出力するハイレベル信号が第２モード設定部１７に対し点滅時間設定タイマ１７ａの再起動信号として供給される。したがって、不法侵入者が発光手段１２が第２モードで点灯制御されることによる威嚇を受けながらもその場から迅速に退去しなかった場合には、照明器８および動作表示灯９が交互に点滅される威嚇動作が継続される。これにより、一層高い防犯効果を得ることができる。
【００３５】
前記実施形態では、センサ７から検知信号ＰＤが設定回数出力されて不法侵入者の存在を検知したｔ４時から威嚇ディレータイマ２０を起動して威嚇遅延時間ＴD1の経過後のｔ７時まで威嚇動作の実行を遅らせている。これは、家人や善意の来訪者が検知エリアＡ0 〜Ａn 内を通過する過程において何らかの事情で一旦立ち止まったような場合に、発光手段１２を威嚇用の第２モードによる点滅動作に移行するタイミングを、家人または来訪者が検知エリアＡ0 〜Ａn を通過し終える時点まで遅延させて、不快感を与えるのを防止するためである。
【００３６】
但し、威嚇ディレータイマ２０は、威嚇遅延時間ＴD1を１５秒以内の範囲内で任意に可変設定できるようになっており、したがって、例えば住宅の勝手口や裏口などのように家人が一旦立ち止まる可能性の少ない場所に設置する場合には、威嚇遅延時間ＴD1を０秒に設定してもよい。その場合には、図４（ｄ），（ｅ）に２点鎖線で示すように、検知信号ＰＤが設定回数出力されて不法侵入者が存在すると検知判定したｔ４時に、発光手段１２を威嚇用の第２モードで点滅させる威嚇動作に即座に移行でき、設置場所の条件に適応した効果的な防犯機能を得ることができる。また、検知判定時間ＴS や不法侵入者と判定するための検知信号ＰＤの設定回数などは、設置場所や設置条件に応じて任意に変更することができる。
【００３７】
図５は本発明の第２実施形態に係る防犯用照明装置の電気回路を示すブロック図であり、同図において、図３と相違するのは、点灯制御手段１３Ｂが、図３の点灯制御手段１３Ａの構成に加えて、第１アンド回路２１から出力されるハイレベル信号を受けて第１威嚇ディレータイマ２０（図３の威嚇ディレータイマ２０と同一）の威嚇遅延時間ＴD1よりも短い威嚇遅延時間ＴD2を計時する第２威嚇ディレータイマ２７と、この第２威嚇ディレータイマ２７からハイレベルのタイムアップ信号が入力されている状態においてセンサ７から検知信号ＰＤが入力したときにハイレベル信号を出力する第３アンド回路２８と、第１威嚇ディレータイマ２０からのハイレベルのタイムアップ信号または第３アンド回路２８からのハイレベル信号の何れか一方が入力したときにハイレベル信号を出力するオア回路２９とを備えた点のみである。
【００３８】
つぎに、図５の電気回路の動作について、そのタイミングチャートである図６を参照しながら説明する。図６において、図４と同一のタイミングに対しては同一の時刻を示す符号を付してある。この実施形態の防犯用照明装置が第１実施形態のものと相違するのは、検知ディレータイマ１８が計時する検知判定時間ＴS が経過する前のｔ４時にセンサ７から設定回数である１０番目の検知信号ＰＤが出力されると、第１アンド回路２１から出力されるハイレベル信号を共に起動信号として、第１威嚇ディレータイマ２０が威嚇遅延時間（第１の時間）ＴD1の計時動作を開始し（図６（ｃ））、かつ、第２威嚇ディレータイマ２７が威嚇遅延時間ＴD2の計時動作を開始する（図６（ｄ））。
【００３９】
そして、ｔ５時に、第２威嚇ディレータイマ２７がタイムアップして出力したハイレベルのタイムアップ信号が第３アンド回路２８の一方の入力端子に入力されると、第３アンド回路２８は、一方の入力端子にハイレベル信号が入力されている状態において、第１威嚇ディレータイマ２０が威嚇遅延時間ＴD1を計時完了する予定のｔ７時（第１の時点）よりも前のｔ５時（第２の時点）からｔ７時までの間に他方の入力端子に検知信号ＰＤが入力するのを監視する。このとき、ｔ５時を過ぎてｔ７時になる前のｔ６時にセンサ７から検知信号ＰＤが出力される（図６（ａ））と、第３アンド回路２８からハイレベルが出力されて、このハイレベル信号がオア回路２９を介して切換手段２３に対し切換信号として、かつ、第２モード設定部１７および威嚇音発生手段１１に対し共に起動信号としてそれぞれ供給される。したがって、第２モード設定部１７は、第１威嚇ディレータイマ２０がタイムアップするｔ７時よりも前のｔ６時に威嚇用の第２モードで点灯させる点灯制御信号を切り換え後の切換手段２３を介して発光手段１２に供給する。これにより、照明器８および動作表示灯９は交互に点滅される（図６（ｆ），（ｅ））。
【００４０】
したがって、この実施形態では、泥棒のような悪意を持った不法侵入者が存在すると確実に判別できたｔ６時に、第１威嚇ディレータイマ２０が計時中の威嚇遅延時間ＴD1の計時完了を待つことなく、その判別できたｔ６時に即座に威嚇用の第２モードによる点灯に移行することができるから、一層タイムリーな威嚇動作となってさらに高い防犯効果を得ることができる。なお、第２威嚇ディレータイマ２７がタイムアップするｔ５時から第１威嚇ディレータイマ２０がタイムアップするｔ７時までの間にセンサ７から検知信号ＰＤが出力されなかった場合には、第１実施形態と同様に、第１威嚇ディレータイマ２０がタイムアップするｔ７時に、第１威嚇ディレータイマ２０が出力するハイレベルのタイムアップ信号により第２モード設定部１７が起動されて威嚇用の第２モードによる点灯に移行する。
【００４１】
第２実施形態において、第２威嚇ディレータイマ２７を省略し、図６（ｄ）に二点鎖線で示すように、ｔ７時（第１の時点）からｔ９時（第３の時点）までの再検知時間ＴD3にわたって開動作するゲート回路を設け、この再検知時間ＴD3の間にさらに検知信号ＰＤを受けたことを条件として発光手段１２を第２モードで点灯させ、かつ威嚇音発生手段１１を作動させてもよい。この構成によれば、ｔ７時からｔ９時までの時間帯ＴD3において不法侵入者が依然として存在すると判断した場合に初めて威嚇用の第２モードによる点灯に移行するので、やはり、誤って第２モードに移行するのが抑制される。
【００４２】
なお、前記各実施形態では、単一のユニットケース１の内部にセンサ７、発光手段１２および点灯制御手段１３Ａ，１３Ｂを収納したが、これとは異なり、センサ７、発光手段１２および点灯制御手段１３Ａ，１３Ｂを個々のケースに別々に収納された３つのユニットとして構成し、これらユニットを電気的に接続して本発明の防犯装置とすることもできる。
【００４３】
また、前記各実施形態では、人体を検知するセンサ７として、受動型赤外線方式のものを採用した場合を例示して説明したが、このセンサ７は、人体を検知して検知信号を出力するものであればよく、例えば、近赤外線を投光して人体から反射する近赤外線を検出する能動型赤外線（ＡＩＲ）方式のもの、マイクロ波のドップラー効果を利用したドップラーセンサ、超音波または電波を検知線として送受信する送信素子と受信素子を備えた超音波式または電波式の能動型センサなどを用いることができる。また、照明器８および動作表示灯９の点滅動作は、消灯時に完全消灯させずにアナログ的に明暗変化させるように点灯制御してもよく、その場合にはさらに威嚇効果を高めることが期待できる。
【図面の簡単な説明】
【００４４】
【図１】本発明の第１実施形態に係る防犯用照明装置の設置状態の光学的構成を模式的に示す斜視図である。
【図２】同上の防犯用照明装置を示す斜視図である。
【図３】同上の防犯用照明装置の電気回路を示すブロック図である。
【図４】（ａ）〜（ｆ）は同上の電気回路の動作によるタイミングチャートである。
【図５】本発明の第２実施形態に係る防犯用照明装置の電気回路を示すブロック図である。
【図６】（ａ）〜（ｇ）は同上の電気回路の動作によるタイミングチャートである。
【符号の説明】
【００４５】
７  センサ
１２  発光手段
１３Ａ，１３Ｂ  点灯制御手段
１４  第１モード設定部
１７  第２モード設定部
Ａ0 〜Ａn   検知エリア
Ｈ  人体
ＰＤ  検知信号
ｔ５  第２の時点
ｔ７  第１の時点
ｔ９  第３の時点
【図１】
2006243824.tif 000003
【図２】
2006243824.tif 000004
【図３】
2006243824.tif 000005
【図４】
2006243824.tif 000006
【図５】
2006243824.tif 000007
【図６】
2006243824.tif 000008